(57)【特許請求の範囲】
【請求項１】
マンホールポンプから下水が供給される下水圧送管路の直立部分にバイパス経路を設け、該バイパス経路の前記下水圧送管路の下部連通部と上部連通部とにそれぞれ第一と第二の開閉弁を設け、一方前記バイパス経路の上下端にマンホール内に開通する第三と第四の開閉弁とをそれぞれ別に設け、前記マンホールポンプ稼働中に前記バイパス経路内に下水が満たされていない場合は前記第一と第二の開閉弁を開、前記第三と第四の開閉弁を閉とし、前記バイパス経路内に下水が満たされた場合は、前記第一と第二の開閉弁を閉、前記第三と第四の開閉弁を開とすることによって、前記第一と第二の開閉弁の開時に下水圧送管路内に空気を強制注入することを特徴とするマンホールポンプの下水圧送管路における空気注入方法。
【発明の詳細な説明】
【０００１】
【発明の属する技術分野】
この発明は、マンホールポンプを用いた下水圧送管路における下水管路内への空気注入方法に関する。
【０００２】
【従来の技術】
下水道管路では下水中の微生物によって硫酸塩が還元され硫化水素が発生する場合があり、硫化水素は悪臭やコンクリート腐食の原因となる。
【０００３】
この硫化水素の発生は一般に酸素が供給されない圧送管路内で顕著であり、一部では悪臭やコンクリートの腐食に関する問題も顕在化してきている。
このため、硫化水素の発生防止ないしは除去策として、圧送管路内への空気注入法が一般的に行なわれている。
【０００４】
【発明が解決しようとする課題】
ところで、圧送管路内へ空気注入を行なうためには下水圧送ポンプと共にコンプレッサを必要とし、下水圧送ポンプ近傍にコンプレッサの設置場所を必要とする。
【０００５】
従って、ポンプ場に設置されている標準ポンプの場合は、コンプレッサの設置場所も容易に確保でき、またコンプレッサ稼動中のメンテナンスも容易に行なえるが、マンホールポンプを用いた下水圧送管の場合、ポンプはマンホール内に設置されているため、コンプレッサの適当な設置場所がなく、また気密室などをマンホール内に設けてコンプレッサを設置したとしても、メンテナンスが実質的に不可能となる問題があり、マンホールポンプによる下水圧送管路の場合、空気注入法による硫化水素対策は実施が困難となる問題があった。
【０００６】
この発明は上記問題を解消することを目的としてなされたものであり、マンホールポンプによる下水圧送管の場合でも充分に空気を注入できる方法を提供することを目的としてなされたものである。
【０００７】
【課題を解決するための手段】
この目的を達成するため、本発明ではマンホールポンプから下水が供給される下水圧送管路の直立部分にバイパス経路を設け、該バイパス経路の前記下水圧送管路の下部連通部と上部連通部とにそれぞれ第一と第二の開閉弁を設け、一方前記バイパス経路の上下端にマンホール内に開通する第三と第四の開閉弁とをそれぞれ別に設け、前記マンホールポンプ稼働中に前記バイパス経路内に下水が満たされていない場合は前記第一と第二の開閉弁を開、前記第三と第四の開閉弁を閉とし、前記バイパス経路内に下水が満たされた場合は、前記第一と第二の開閉弁を閉、前記第三と第四の開閉弁を開とすることによって、前記第一と第二の開閉弁の開時に下水圧送管路内に空気を強制注入するように構成した。
【０００８】
この発明によれば、バイパス経路内に滞留する空気がバイパス内に流れ込む下水の水位上昇に伴って下水圧送管内に強制的に注入されていくため、コンプレッサ等を用いなくても下水圧送管内に強制的に空気を注入可能となる。
【０００９】
また、コンプレッサなどの機械装置を使用しないので、メンテナンスも必要がない。
【００１０】
【発明の実施の形態】
次に、この発明のマンホールポンプの下水圧送管路における空気注入方法の実施の形態について説明する。
【００１１】
図１はこの発明の方法を実施するための装置の一実施の形態の断面図である。図１において、下水圧送管路１は、始端にマンホールポンプ２が設けられ、マンホール３から直立部１Ａを経て次のマンホールあるいは最終処理場（図示省略）へ下水を圧送するようにされている。
【００１２】
上記下水圧送管路１の直立部１Ａにはバイパス管４が設けられ、該バイパス管４の前記下水圧送管路１への下部連通部４Ａと上部連通部４Ｂとにそれぞれ第一と第二の開閉弁５Ａ、５Ｂが設けられている。
【００１３】
一方前記バイパス管４の上下端にマンホール３内に開通する第三と第四の開閉弁６Ａ、６Ｂとがそれぞれ別に設けられている。
また、前記バイパス管４内には上下に水位センサ７Ａ、７Ｂが設置され、このセンサからの情報により開閉弁５Ａ、５Ｂ、６Ａ、６Ｂの開閉制御を行なう制御装置８が設けられている。
【００１４】
次に上記管系における空気注入法について説明する。
図２〜図５は本発明の実施プロセスの説明断面図である。なお、図２〜図５において弁を示す記号の内、白く抜いた弁記号を開、黒く塗りつぶした弁記号を閉の状態とする。
【００１５】
図２はバイパス管４内に下水が満たされていない状態を示し開閉弁５Ａ、５Ｂ、６Ａ、６Ｂは全部閉とされている。
この状態でマンホールポンプ２を駆動すると、下水Ｗは直立部１Ａを経て外部へ圧送される。
【００１６】
この状態のとき、水位低下を検知したセンサ７Ａにより制御装置８はバイパス管４の第一、第二の開閉弁５Ａ、５Ｂを開、第三と第四の開閉弁６Ａ、６Ｂを閉とする。
【００１７】
図３に示すように、第一の開閉弁５Ａから下水Ｗが流入すると同時に第二の開閉弁５Ｂからバイパス管４に流入した下水量に応じて空気が押し出され、圧送される下水中に流れ込んでいく。
【００１８】
図４に示すようにバイパス管４内の水位が上昇し上部センサ７Ｂに達すれば、制御装置８はバイパス管４の第一、第二の開閉弁５Ａ、５Ｂを閉、第三と第四の開閉弁６Ａ、６Ｂを開とする。
【００１９】
これによって、図５に示すようにバイパス管４内の下水Ｗが第三の開閉弁６Ａからマンホール３内に流下し第四の開閉弁６Ｂから空気がバイパス管４内に入り込み図２の状態に戻る。
【００２０】
従って、図２〜図５の状態を繰り返すことで、下水圧送管１内に空気が図３に示す状態から図４に示す状態までの間注入されて行くのである。
上記実施の形態では一本のバイパス管４を設け、間欠的に空気注入する場合を示したが、図６に示すように下水圧送管１の直立部１Ａの両側にバイパス管４、４を設け、これらバイパス管の間で開閉弁５Ａ〜６Ｂの開閉タイミングを逆位相として制御すれば途切れなく下水圧送管内に空気注入を行なうことができる。
【００２１】
【発明の効果】
以上説明したようにこの発明の方法によれば、バイパス管を下水圧送管に併設しこれらに設けた開閉弁の操作のみで空気を下水圧送管路内に注入でき、コンプレッサなどの装置を必要とすることなく下水圧送管路内へ注入できる。
【００２２】
また、空気注入は水圧差を利用し空気注入のための動力は全く用いないのでメンテナンスなども不要となる。
従ってマンホールポンプの下水圧送管であっても空気注入が行なえ硫化水素の発生が有効に防止できる。
【図面の簡単な説明】
【図１】この発明の方法を実施する装置の一実施の形態の断面図である。
【図２】この発明の方法のプロセス説明図である。
【図３】この発明の方法のプロセス説明図である。
【図４】この発明の方法のプロセス説明図である。
【図５】この発明の方法のプロセス説明図である。
【図６】この発明の方法を実施する装置の他の実施の形態の断面図である。
【符号の説明】
１  下水圧送管路
１Ａ  直立部
２  マンホールポンプ
３  マンホール
４  バイパス管
４Ａ  下部連通部
４Ｂ  上部連通部
５Ａ  第一の開閉弁
５Ｂ  第二の開閉弁
６Ａ  第三の開閉弁
６Ｂ  第四の開閉弁
７Ａ  下部水位センサ
７Ｂ  上部水位センサ
８  制御装置
Ｗ  下水
【図１】
0003560463.tif 000002
【図２】
0003560463.tif 000003
【図３】
0003560463.tif 000004
【図４】
0003560463.tif 000005
【図５】
0003560463.tif 000006
【図６】
0003560463.tif 000007